(57)【要約】【課題】部品点数及び組み立て工数の削減を図るとともに、上フレームと表示パネルとの間のギャップを保持することができる表示装置を提供する。【解決手段】表示装置は、上フレームと、内フレームと、上フレームと内フレームとの間に配置されている表示パネルと、を備え、上フレームと内フレームとのいずれか一方に爪部が形成され、上フレームと内フレームとのいずれか他方に孔部が形成され、内フレームの側壁に載置部が形成され、上フレームが内フレームに組み付けられた状態において、爪部と孔部とが係合され、載置部には上フレームの側壁の一部が当接する。【選択図】図２
2017156622.tif 000002
【特許請求の範囲】
【請求項１】
上フレームと、
内フレームと、
前記上フレームと前記内フレームとの間に配置されている表示パネルと、
を備え、
前記上フレームと前記内フレームとのいずれか一方に爪部が形成され、
前記上フレームと前記内フレームとのいずれか他方に孔部が形成され、
前記内フレームの側壁に載置部が形成され、
前記上フレームが前記内フレームに組み付けられた状態において、前記爪部と前記孔部とが係合され、前記載置部には前記上フレームの側壁の一部が当接する、
ことを特徴とする表示装置。
【請求項２】
前記載置部は、前記上フレームが前記内フレームに組み付けられた状態において前記上フレームと前記表示パネルとの間にギャップが形成されるように、前記内フレームの側壁に凸状に形成されている、
ことを特徴とする請求項１に記載の表示装置。
【請求項３】
前記載置部は、前記内フレームの側壁に凸状に形成されており、
前記上フレームの側壁には、当該上フレームの側壁の縁部のうち背面側に位置する下縁から表示面側に向かって切り欠いた切り欠きが形成されており、
前記載置部は、前記切り欠き内で前記上フレームの側壁に当接する、
ことを特徴とする請求項１に記載の表示装置。
【請求項４】
前記内フレームは、中フレームと下フレームとを含み、
前記載置部は、前記中フレームと前記下フレームとのいずれか一方に形成されている、
ことを特徴とする請求項１に記載の表示装置。
【請求項５】
複数の前記載置部は、平面的に見て、前記内フレームにおいて対向する辺に配置される前記載置部それぞれが互いに点対称の関係となるように配置されている、
ことを特徴とする請求項１に記載の表示装置。
【請求項６】
複数の前記載置部は、平面的に見て、前記内フレームにおいて対向する辺に配置される前記載置部それぞれが互いに非対称に配置されている、
ことを特徴とする請求項１に記載の表示装置。
【請求項７】
前記爪部と前記孔部とが係合することにより前記上フレームと前記内フレームとが互いに離れる方向への移動を制限するとともに、前記載置部と前記上フレームの側壁とが当接することにより前記上フレームと前記内フレームとが互いに近づく方向への移動を制限することによって、前記上フレームと前記表示パネルとの間のギャップを保持する、
ことを特徴とする請求項１に記載の表示装置。
【発明の詳細な説明】
【技術分野】
【０００１】
本発明は、表示装置に関する。
【背景技術】
【０００２】
表示装置は、表示パネルと、表示パネルに背面側から光を照射するバックライトユニットと、を含んで構成されている。また、表示装置は、上フレームと、上フレームより内周側に位置する内フレーム（下フレーム及び中フレーム）とを、表示パネルやバックライトユニットを挟み込むように、組み付けている。このとき、上フレームと表示パネルとの間のギャップが保持されていることが望ましい。
【０００３】
特許文献１には、上フレームと、内フレーム（下フレーム及び中フレーム）とがネジ固定される表示装置について開示されている。
【先行技術文献】
【特許文献】
【０００４】
【特許文献１】特開２０１４−９６２３５号公報
【発明の概要】
【発明が解決しようとする課題】
【０００５】
特許文献１に開示されているように、上フレームと内フレームとを組み付けるためにネジ止めを用いると、上フレームと表示パネルとの間のギャップを保持することはできるが、表示装置の部品点数が増大するとともに、組み立て工程の工数が増大する。
【０００６】
本発明は、上記課題を鑑みてなされたものであり、その目的は、部品点数及び組み立て工数の削減を図るとともに、上フレームと表示パネルとの間のギャップを保持することができる表示装置を提供することにある。
【課題を解決するための手段】
【０００７】
上記課題を解決するために、本発明の表示装置は、上フレームと、内フレームと、前記上フレームと前記内フレームとの間に配置されている表示パネルと、を備え、前記上フレームと前記内フレームとのいずれか一方に爪部が形成され、前記上フレームと前記内フレームとのいずれか他方に孔部が形成され、前記内フレームの側壁に載置部が形成され、前記上フレームが前記内フレームに組み付けられた状態において、前記爪部と前記孔部とが係合され、前記載置部には前記上フレームの側壁の一部が当接する、ことを特徴とする。
【０００８】
本発明に係る表示装置では、前記載置部は、前記上フレームが前記内フレームに組み付けられた状態において前記上フレームと前記表示パネルとの間にギャップが形成されるように、前記内フレームの側壁に凸状に形成されていてもよい。
【０００９】
本発明に係る表示装置では、前記載置部は、前記内フレームの側壁に凸状に形成されており、前記上フレームの側壁には、当該上フレームの側壁の縁部のうち背面側に位置する下縁から表示面側に向かって切り欠いた切り欠きが形成されており、前記載置部は、前記切り欠き内で前記上フレームの側壁に当接してもよい。
【００１０】
本発明に係る表示装置では、前記内フレームは、中フレームと下フレームとを含み、前記載置部は、前記中フレームと前記下フレームとのいずれか一方に形成されていてもよい。
【００１１】
本発明に係る表示装置では、複数の前記載置部は、平面的に見て、前記内フレームにおいて対向する辺に配置される前記載置部それぞれが互いに点対称の関係となるように配置されていてもよい。
【００１２】
本発明に係る表示装置では、複数の前記載置部は、平面的に見て、前記内フレームにおいて対向する辺に配置される前記載置部それぞれが互いに非対称に配置されていてもよい。
【００１３】
本発明に係る表示装置では、前記爪部と前記孔部とが係合することにより前記上フレームと前記内フレームとが互いに離れる方向への移動を制限するとともに、前記載置部と前記上フレームの側壁とが当接することにより前記上フレームと前記内フレームとが互いに近づく方向への移動を制限することによって、前記上フレームと前記表示パネルとの間のギャップを保持してもよい。
【発明の効果】
【００１４】
本発明の表示装置によれば、部品点数及び組み立て工数の削減を図るとともに、上フレームと表示パネルとの間のギャップを保持することができる。
【図面の簡単な説明】
【００１５】
【図１】本実施形態に係る表示装置の全体構成の概略を示す分解斜視図である。
【図２】本実施形態に係る表示装置の斜視図である。
【図３】本実施形態に係る表示装置の平面図である。
【図４】図３のＡ−Ａ断面図である。
【図５】図３のＢ−Ｂ断面図である。
【図６】中フレームの平面図である。
【図７】中フレームの側面図である。
【図８】上フレームの側面図である。
【発明を実施するための形態】
【００１６】
以下、本発明の実施形態について、図面を用いて説明する。本発明の実施形態では、液晶表示装置を例に挙げるが、本発明に係る表示装置は液晶表示装置に限定されるものではなく、例えば有機ＥＬ表示装置等であってもよい。
【００１７】
図１は、本実施形態に係る表示装置１の全体構成の概略を示す分解斜視図である。表示装置１は、画像を表示する表示パネル２と、表示パネル２に背面側から光を照射するバックライトユニット３と、を含んで構成されている。また、表示装置１は、上フレーム６と、上フレーム６より内周側に位置する内フレーム４（下フレーム４４及び中フレーム４５）とを嵌合させて表示パネル２やバックライトユニット３を挟み込むように組み立てられている。
【００１８】
図２は、本実施形態に係る表示装置１の斜視図である。図３は、本実施形態に係る表示装置１の平面図である。図２に示すように、本実施形態に係る表示装置１には、上フレーム６と表示パネル２との間のギャップを保持したまま上フレーム６を内フレーム４に嵌合するために、上フレーム６と内フレーム４とを互いに係合する係合部７０と、上フレーム６を載置する載置部８１とが形成されている。係合部７０は、内フレーム４と上フレーム６とのいずれか一方に形成される爪部７１と、他方に形成される孔部７２とにより構成されている。載置部８１は内フレーム４に形成されている。図３に示すように、本実施形態に係る表示装置１では、例えば、矩形状の表示装置１の各面に１つの係合部７０と、２つの載置部８１とが形成されている。より詳細には、図３に示すように、表示面側からみたときに、矩形状の表示装置１の各面において、２つの載置部８１の間に１つの係合部７０が配置されている。別の見方をすれば、表示面側からみたときに、矩形状の表示装置１の各面において、２つの載置部８１及び１つの係合部７０は、いずれも、互いにずれた位置に配置されている。
【００１９】
図３では、表示装置１において、平面的に見て、対向する２辺に配置される係合部７０それぞれの位置が互いに点対称の関係となるように配置されている。また、表示装置１において、平面的に見て、対向する２辺に配置される載置部８１それぞれの位置が互いに点対称の関係となるように配置されている。これにより、上フレーム６は、平面的に見て１８０度回転させた向きで組み立てることも可能となる。
【００２０】
以下、図４〜図８を用いて本実施形態に係る表示装置１の具体的構成について説明する。本実施形態では、上フレーム６と内フレーム４とが互いに嵌合されるが、図４〜図８では、上フレーム６と中フレーム４５とが互いに嵌合される例について説明する。なお、上フレーム６と下フレーム４４とが互いに嵌合されてもよいし、下フレーム４４と中フレーム４５とが一体となった１つの内フレーム４が構成されていてもよい。
【００２１】
図４は、図３のＡ−Ａ断面図である。図５は、図３のＢ−Ｂ断面図である。図６は、中フレーム４５の平面図である。図７は、中フレーム４５の側面図である。図８は、上フレーム６の側面図である。図４及び図５においては、上側が表示装置１の表示面側であり、下側が表示装置１の背面側であり、右側が表示装置１の外周側であり、左側が表示装置１の内周側である。図４及び図５において同一の構成については同一符号を付している。
【００２２】
表示パネル２は、背面側に配置されるＴＦＴ（薄膜トランジスタ）基板２１と、表示面側に配置されるＣＦ（カラーフィルタ）基板２２と、ＴＦＴ基板２１及びＣＦ基板２２の間に挟持される液晶層（図示せず）と、ＴＦＴ基板２１の背面側に配置される下偏光板２３と、ＣＦ基板２２の表示面側に配置される上偏光板２４と、を含んで構成されている。
【００２３】
バックライトユニット３は、導光板３２と、導光板３２の背面側に配置される反射シート３３と、導光板３２の表示面側に配置される光学シート３４と、導光板３２の側面から導光板３２内に向けて光を照射する光源３５と、を含んで構成されている。
【００２４】
導光板３２は、光源３５から照射された光を導光板３２の表示面側から均一に出射することでバックライトユニット３を面光源として機能させる。反射シート３３は、導光板３２の背面側に配置され、導光板３２の背面側から漏れ出した光を反射して導光板３２内に戻すようにする。光学シート３４は、導光板３２から出射される光を集光して表示パネル２の背面側へ導く。また、光学シート３４には導光板３２から出射される光を拡散させて均一にする拡散シートが含まれていてもよい。
【００２５】
下フレーム４４は、バックライトユニット３を覆うように配置され、バックライトユニット３を支持する。下フレーム４４は、反射シート３３に対向する底板部４４ｂと、底板部４４ｂから表示面側に延び出し導光板３２の周りを取り囲む側壁部４４ａと、から構成されている。
【００２６】
中フレーム４５は、表示面側からみて矩形状であり、略Ｌ字型の断面を有している。中フレーム４５は、側壁部４５ａと突出部４５ｄを備えている。
【００２７】
側壁部４５ａは、上フレーム６の側壁部６ａと下フレーム４４の側壁部４４ａの間に配置されている。突出部４５ｄは、側壁部４５ａの上端から、表示パネル２とバックライトユニット３との間へ向かって内周側に突出している。突出部４５ｄと表示パネル２との間には、緩衝部材５２が備えられていて、表示パネル２が突出部４５ｄに接触することを回避している。突出部４５ｄと導光板３２との間には、緩衝部材５３が備えられていて、熱膨張した導光板３２が突出部４５ｄに接触することを回避している。
【００２８】
上フレーム６は、表示面側からみて矩形状であり、Ｌ字型の断面を有している。上フレーム６は、側壁部６ａと、上板部６ｃとから構成されている。側壁部６ａは、下フレーム４４及び中フレーム４５よりも外周側に位置し、側壁部４５ａを外周側から取り囲んでいる。上板部６ｃは、側壁部６ａの上端から内周側へ延伸しており、表示パネル２の周縁部に対向している。
【００２９】
上板部６ｃの下面には、表示パネル２が上板部６ｃに衝突するときの衝撃を緩和するための緩衝部材５６が貼り付けられている。
【００３０】
本実施形態では、中フレーム４５の側壁部４５ａに爪部７１が形成され、上フレーム６の側壁部６ａに孔部７２が形成されている。このように、本実施形態の係合部７０は、爪部７１と孔部７２とが係合するスナップフィット構造を有していることで、表示装置１の組み立てにおける部品点数、組立工数の削減を図ることができる。
【００３１】
爪部７１は、中フレーム４５の側壁部４５ａから外周側に突出している。爪部７１は、表示面側に接近するほど内周側に入り込むように傾斜した傾斜面７１２と、傾斜面７１２の下端に接続され、爪部７１のうちの背面側の面を構成する下面７１１と、を含んでいる。本実施形態による爪部７１は、図４に示すように、中フレーム４５の側壁部４５ａの一部を切り起こして形成されている。なお、爪部７１は、中フレーム４５の側壁部４５ａをプレス成形することにより凸状に形成されていてもよい。
【００３２】
孔部７２は、図８に示すように上フレーム６の側壁部６ａを抜き打ち加工して形成されている。抜き打ち加工によって、孔部７２には、図４に示す内周側と外周側とを結ぶ方向に、上フレーム６の側壁部６ａを貫通した貫通孔が形成される。なお、孔部７２は、上フレーム６の側壁部６ａをプレス成形することにより凹状に形成されていてもよい。
【００３３】
本実施形態では、中フレーム４５の側壁部４５ａに、上フレーム６の側壁部６ａの一部が当接する凸状の載置部８１が形成され、上フレーム６の側壁部６ａには載置部８１を受け入れる切り欠き８２が形成されている。載置部８１は、中フレーム４５の側壁部４５ａの他の部分よりも外周側に突出している。載置部８１は、図６及び図７に示すように、中フレーム４５の側壁部４５ａをプレス成形することにより凸状に形成されている。なお、載置部８１は、中フレーム４５の側壁部４５ａの一部を切り起こして形成されていてもよい。
【００３４】
本実施形態では、図７に示すように、載置部８１は、中フレーム４５の側壁部４５ａに、表示面側と背面側とを結ぶ方向に間隔を空けて形成された一対のスリット８３を介して、側壁部４５ａの他の部分から分離された帯状片８１ａを含んでいる。帯状片８１ａは、その両端で側壁部４５ａの他の部分に接続され、その中間部分が側壁部４５ａの他の部分よりも外周側に突出している。
【００３５】
切り欠き８２は、当該上フレーム６の側壁部６ａの縁部のうち背面側に位置する下縁６０１から表示面側に向かって切り欠くことにより形成されている。切り欠き８２は、図８に示すように、上フレーム６の側壁部６ａを抜き打ち加工して形成されている。なお、切り欠き８２は、上フレーム６の側壁部６ａに孔状に形成されていてもよい。
【００３６】
爪部７１と孔部７２とが係合された状態で、中フレーム４５と上フレーム６とを互いに離れる方向（具体的には、中フレーム４５の突出部４５ｄと上フレーム６の上板部６ｃとが互いに離れる方向）に相対的に移動させると、爪部７１の下面７１１と孔部７２の下面７２１とが当接する。爪部７１の下面７１１と孔部７２の下面７２１とが当接することで、中フレーム４５と上フレーム６とが互いに離れる方向への移動が制限される。
【００３７】
また、爪部７１と孔部７２とが係合された状態で、中フレーム４５と上フレーム６とを互いに近づく方向（具体的には、中フレーム４５の突出部４５ｄと上フレーム６の上板部６ｃとが互いに近づく方向）に相対的に移動させると、中フレーム４５の載置部８１が、上フレーム６の切り欠き８２内で上フレーム６の側壁部６ａに当接する。本実施形態では、載置部８１のうちの表示面側に位置する上面（すなわち帯状片８１ａの上縁）８１１に、上フレーム６の側壁部６ａのうち切り欠き８２の上端を画定する上縁８２１が、当接する。このように、載置部８１の上面８１１に上フレーム６の側壁部６ａの上縁８２１が当接することで、中フレーム４５と上フレーム６とが互いに近づく方向への移動が制限される。
【００３８】
上述したような爪部７１と孔部７２とが係合するスナップフィット構造では、中フレーム４５と上フレーム６とが互いに離れる方向への移動を制限することができるが、中フレーム４５と上フレーム６とが互いに近づく方向への移動を制限することはできていない。本実施形態に係る表示装置１では、中フレーム４５の側壁部４５ａに載置部８１が形成されることで、中フレーム４５と上フレーム６とが互いに近づく方向への移動を制限している。
【００３９】
このようにして、本実施形態に係る表示装置１では、爪部７１と孔部７２とが係合するスナップフィット構造により、上フレーム６が中フレーム４５から外れることを防止するとともに、中フレーム４５の載置部８１に上フレーム６の側壁部６ａが載置されることにより、上フレーム６と表示パネル２との間のギャップを保持することができる。
【００４０】
なお、係合部７０及び載置部８１の位置は、所望の上フレーム６と表示パネル２との間のギャップに合わせて定められることとする。例えば、上フレーム６と表示パネル２との間に所定のギャップが形成されるように、係合部７０及び載置部８１の位置が定められる。
【００４１】
ここで、側壁部４５ａの一部を切欠き、この切り欠かれた部分を突出部４５ｄよりも表示面側に突出するように折り曲げることで載置部８１を形成し、さらに、このようにして形成された載置部８１を上フレーム６の上板部６ｃに当接させることにより、上フレーム６と表示パネル２との間のギャップを保持する構成も考えられる。しかし、この構成では、載置部８１と上フレーム６とが擦れることにより異物が発生し、該異物が表示装置１内に侵入することにより表示不良が生じるおそれがある。この点、本実施形態では、載置部８１が中フレーム４５の側壁部４５ａに形成されることで、載置部８１と上フレーム６とが擦れることにより発生する異物が表示装置１内に侵入しにくくなる。これにより、表示装置１内に異物が侵入することによる表示不良を低減することができる。
【００４２】
なお、本発明は、上述の実施形態に限定されるものではない。
【００４３】
例えば、上フレーム６の切り欠き８２は形成されなくてもよく、上フレーム６の側壁部６ａにおける背面側の下面が当接するように載置部８１が形成されていてもよい。また、載置部８１は、中フレーム４５の側壁部４５ａにリブ状に形成されていてもよい。
【００４４】
また、中フレーム４５の側壁部４５ａに孔部７２が形成され、上フレーム６の側壁部６ａに爪部７１が形成されていてもよい。
【００４５】
また、載置部８１は、中フレーム４５の側壁部４５ａを抜き打ち加工して孔状に形成されてもよいし、プレス成形することにより凹状に形成されてもよい。この場合、上フレーム６の側壁部６ａには、孔状または凹状の載置部８１に当接する凸状の突起部が形成されていてもよい。
【００４６】
また、表示装置１において、平面的に見て、対向する２辺に配置される係合部７０それぞれの位置が互いに非対称に配置されてもよい。また、表示装置１において、平面的に見て、対向する２辺に配置される載置部８１それぞれの位置が互いに非対象に配置されてもよい。これにより、上フレーム６を一方向でのみ組み立て可能とし、平面的に見て上フレーム６を１８０度回転させた方向での組み立てを防止することができる。
【符号の説明】
【００４７】
１  表示装置、２  表示パネル、２１  ＴＦＴ基板、２２  ＣＦ基板、２３  下偏光板、２４  上偏光板、３  バックライトユニット、４  内フレーム、６  上フレーム、６ａ，４４ａ，４５ａ  側壁部、６ｃ  上板部、３２  導光板、３３  反射シート、３４  光学シート、３５  光源、４４  下フレーム、４４ｂ  底板部、４５  中フレーム、４５ｄ  突出部、５２，５３，５６  緩衝部材、７０  係合部、７１  爪部、７２  孔部、８１  載置部、８１ａ  帯状片、８２  切り欠き、８３  スリット、６０１  下縁、７１１，７２１  下面、７１２  傾斜面、８１１  上面、８２１  上縁。
【図１】
2017156622.tif 000003
【図２】
2017156622.tif 000004
【図３】
2017156622.tif 000005
【図４】
2017156622.tif 000006
【図５】
2017156622.tif 000007
【図６】
2017156622.tif 000008
【図７】
2017156622.tif 000009
【図８】
2017156622.tif 000010